(57)【要約】【課題】壁際での切断作業を好適に行える保護カバー及び保護カバーを備えた動力工具の提供。【解決手段】床と当接して床上を摺動するガイド面１１Ａを有するベース部１１と、ベース部１１上に担持され、本体２に取り付けられると共に、本体２から延出される回転軸部に装着された回転刃９を収容するカバー部１２と、を有し、ベース部１１は、回転刃９がガイド面１１Ａより突出するようにカバー部１２を担持すると共に、回転刃９よりも本体２側のみに配置され、カバー部１２は、回転刃９の外周を覆う周壁部１４及び本体２側の側面を覆う側壁部１３から構成されると共に、周壁部１４の反本体２側の端部１４Ａは、回転刃９の反本体２側と略同一平面上若しくは端縁１４Ａが回転刃９の反本体２側に向けて突出している保護カバー１０及び保護カバー１０を備えた動力工具１を提供する。【選択図】図７
2010201513.tif 000002
【特許請求の範囲】
【請求項１】
被削材と当接して該被削材上を摺動するガイド面を有するベース部と、
該ベース部上に担持され、工具本体に取り付けられると共に、該工具本体から延出される回転軸部に装着された回転刃を収容するカバー部と、を有し、
該ベース部は、該回転刃が該ガイド面より突出するように該カバー部を担持すると共に、該回転刃よりも該工具本体側のみに配置され、
該カバー部は、該回転刃の外周及び該工具本体側側面を覆う壁から構成されると共に、該回転刃の外周を覆う壁の反工具本体側の端縁は、該回転刃の該反工具本体側と略同一平面上若しくは該回転刃の該反工具本体側から反工具本体側に向けて突出していることを特徴とする保護カバー。
【請求項２】
該カバー部に対し該回転刃の反工具本体側側面を覆う側面カバー部が着脱可能に構成されていることを特徴とする請求項１に記載の保護カバー。
【請求項３】
該ベース部と該カバー部とは、該回転刃の該ガイド面からの突出量を変更可能な切断深さ調整機構を介して接続されていることを特徴とする請求項１または請求項２のいずれかに記載の保護カバー。
【請求項４】
該カバー部において、該回転刃の外周を覆う壁の該端縁若しくは該端縁近傍位置には、先端が該端縁から反工具本体側に向けて突出するブラシが装着されていることを特徴とする請求項１乃至請求項３のいずれか一に記載の保護カバー。
【請求項５】
該カバー部には、吸引装置と接続されてカバー部内を吸引するダクトが装着されていることを特徴とする請求項１乃至請求項４のいずれか一に記載の保護カバー。
【請求項６】
ハウジングと、
該ハウジングから延出され回転刃が装着される回転軸部と、
該回転軸部周りに配置される被取付部と、
該被取付部に取り付けられて該回転刃を覆う請求項１乃至請求項５のいずれか一に記載された保護カバーと、を備えたことを特徴とする動力工具。
【請求項７】
該回転刃は、装着治具を介して該回転軸部に装着され、
該装着治具は、該回転軸部の延出方向において、該回転刃の反ハウジング側側面よりもハウジング側に位置していることを特徴とする請求項６に記載の動力工具。
【請求項８】
工具本体から延出される回転軸部に装着される回転刃を収容すると共に該工具本体の該回転軸部周りに設けられた被取付部に取り付けられるカバー部を有し、
該カバー部には、該工具本体に接続される取付部と、該工具本体に装着された状態で該回転軸部の軸を中心とする周回りに配列され、選択的に吸引装置と接続される複数のダクトと、を備え、
該取付部は、該回転軸部の半径方向において、少なくとも第一半径方向を向いた状態と第二半径方向を向いた状態とのそれぞれで選択的に該被取付部に取り付けられることを特徴とする保護カバー。
【請求項９】
該複数のダクトは、該取付部を挟んで一方側と他方側とにそれぞれ設けられた第一ダクトと第二ダクトとから構成され、
該取付部が該第一半径方向を向いて該被取付部に装着された状態で、該第一ダクトは該吸引装置が装着不能に該工具本体で塞がれると共に第二ダクトは該吸引装置が装着可能であり、
該取付部が該第二半径方向を向いて該被取付部に装着された状態で、該第一ダクトは該吸引装置が装着可能であると共に該第二ダクトは該吸引装置が装着不能に該工具本体で塞がれることを特徴とする請求項８に記載の保護カバー。
【請求項１０】
該被削材と当接して該被削材上を摺動するガイド面を有するベース部を備え、
該カバー部は該ベース部上に担持されていることを特徴とする請求項８又は請求項９のいずれかに記載の保護カバー。
【請求項１１】
該カバー部は、該回転刃の外周及び該反延出方向側側面のみを覆う壁から構成されると共に、該回転軸部が延出される方向における該回転刃の外周を覆う壁の端縁は、該回転刃の該延出方向における端部と略同一位置若しくは該端縁が該端部より突出していることを特徴とする請求項８乃至請求項１０のいずれか一に記載の保護カバー。
【請求項１２】
該複数のダクトは、いずれも開閉可能に構成されていることを特徴とする請求項８乃至請求項１１のいずれか一に記載の保護カバー。
【請求項１３】
ハウジングと、
該ハウジングから延出され回転刃が装着される回転軸部と、
該回転軸部周りに配置される被取付部と、
該被取付部に取り付けられて該回転刃を覆う請求項８乃至請求項１２のいずれか一に記載された保護カバーと、を、備えたことを特徴とする動力工具。
【請求項１４】
該ハウジングに装着されるサブハンドルを更に備え、
該ハウジングは、該回転軸部の半径方向に延び該回転軸部の周方向で互いに離間する一方の側面と他方の側面とを有し、
該サブハンドルは、該一方の側面と、該他方の側面とに選択的に装着されることを特徴とする請求項１３に記載の動力工具。
【発明の詳細な説明】
【技術分野】
【０００１】
本発明は保護カバー及び保護カバーを備えた動力工具に関し、特に回転刃による切削によって発生する粉塵に対する保護をする保護カバー及び保護カバーを備えた動力工具に関する。
【背景技術】
【０００２】
従来の携帯切断機用集塵カバーは、特許文献１に示されるように、コンクリート材等の被削材を切断・切削するために用いられる携帯切断機に回転刃を覆うように装着されている。この集塵カバーには吸引装置から延びるホースが接続されるホース取付口（ダクト）があり、回転刃で被削材を切断することにより発生する粉塵を吸引することが可能である。この集塵カバーにおいては、粉塵を外部に噴出させないために、被削材と当接する面以外の回転刃周囲に壁を設けて気密性を保っている。
【先行技術文献】
【特許文献】
【０００３】
【特許文献１】特開２００７−３８６４５号公報
【発明の概要】
【発明が解決しようとする課題】
【０００４】
上記構成の集塵カバーを装着した携帯切断機で、例えば壁間際の位置に溝を切削しようとすると、保護カバーが邪魔になり、回転刃を壁際に近づけることが難しかった。また集塵カバーを装着した携帯用切断機においては、保護カバーに対する携帯切断機の装着方向が一方向になるため、保護カバーを装着した携帯用切断機で切り進むと、携帯用切断機の本体部分が壁と当接して切り進めない場合があった。
【０００５】
よって本発明は、壁際での切断作業を好適に行える保護カバー及び保護カバーを備えた動力工具を提供することを目的とする。
【課題を解決するための手段】
【０００６】
上記課題を解決するために本発明は、被削材と当接して該被削材上を摺動するガイド面を有するベース部と、該ベース部上に担持され、工具本体に取り付けられると共に、該工具本体から延出される回転軸部に装着された回転刃を収容するカバー部と、を有し、該ベース部は、該回転刃が該ガイド面より突出するように該カバー部を担持すると共に、該回転刃よりも該工具本体側のみに配置され、該カバー部は、該回転刃の外周及び該工具本体側側面を覆う壁から構成されると共に、該回転刃の外周を覆う壁の反工具本体側の端縁は、該回転刃の該反工具本体側と略同一平面上若しくは該回転刃の該反工具本体側から反工具本体側に向けて突出している保護カバーを提供する。
【０００７】
また上記課題を解決するために本発明は、ハウジングと、該ハウジングから延出され回転刃が装着される回転軸部と、該回転軸部周りに配置される被取付部と、該被取付部に取り付けられて該回転刃を覆う上記の保護カバーと、を備えた動力工具を提供する。
【０００８】
この様な構成によると、保護カバーの延出方向端部位置と略等しい位置で回転刃により切削を行うことができる。よって、例えば壁際の床面に溝を形成する場合においても、保護カバーの延出方向端部を壁に沿わせて作業を行うことにより、壁際ぎりぎりの位置に溝を形成することができる。また壁際の床面を切削する際には、カバー部と壁とにより保護カバー内の空間を閉塞した状態に保つことができるため、粉塵等が保護カバー外に噴出することが抑制される。
【０００９】
上記構成の保護カバー及び動力工具において、該カバー部に対し該回転刃の反工具本体側側面を覆う側面カバー部が着脱可能に構成されていることが好ましい。
【００１０】
これらの様な構成によると、壁際以外の箇所で切削作業をする際は側面カバーをカバー部に装着することによって、カバー部と共に保護カバー内の空間を閉塞した状態に保つことができるため、粉塵等が保護カバー外に噴出することが抑制される。
【００１１】
また該ベース部と該カバー部とは、該回転刃の該ガイド面からの突出量を変更可能な切断深さ調整機構を介して接続されていることが好ましい。この様な構成によると、所望の切削深さの溝を形成することができる。
【００１２】
また該カバー部において、該回転刃の外周を覆う壁の該端縁若しくは該端縁近傍位置には、先端が該端縁から反工具本体側に向けて突出するブラシが装着されていることが好ましい。
【００１３】
この様な構成によると、上述のように壁際の床面を切削する際に、カバー部と壁との間にブラシが介在する。カバー部は剛性の観点から硬質材料より構成されるため、特に凹凸を有する壁に対する追従性が劣る傾向があるが、ブラシを介在させることにより、壁に対する追従性を高め、保護カバーと壁との間に隙間が形成されることが抑制される。またカバー部が直接壁に当接することが抑制されるため、カバー部による壁への傷を抑制することができる。
【００１４】
該カバー部には、吸引装置と接続されてカバー部内を吸引するダクトが装着されていることが好ましい。
【００１５】
この様な構成によると、カバー部内で発生する粉塵を吸引することができ、カバー部外へと噴出する粉塵を低減することができる。
【００１６】
また上記構成の動力工具において、該回転刃は、装着治具を介して該回転軸部に装着され、該装着治具は、該回転軸部の延出方向において、該回転刃の反ハウジング側側面よりもハウジング側に位置していることが好ましい。
【００１７】
この様な構成によると、回転刃から反ハウジング側へと突出する部材が無いため、より壁際で床面を切削することができる。
【００１８】
また上記課題を解決するために本発明は、工具本体から延出される回転軸部に装着される回転刃を収容すると共に該工具本体の該回転軸部周りに設けられた被取付部に取り付けられるカバー部を有し、該カバー部には、該工具本体に接続される取付部と、該工具本体に装着された状態で該回転軸部の軸を中心とする周回りに配列され、選択的に吸引装置と接続される複数のダクトと、を備え、該取付部は、該回転軸部の半径方向において、少なくとも第一半径方向を向いた状態と第二半径方向を向いた状態とのそれぞれで選択的に該被取付部に取り付けられる保護カバーを提供する。
【００１９】
上記構成の保護カバーにおいて、該複数のダクトは、該取付部を挟んで一方側と他方側とにそれぞれ設けられた第一ダクトと第二ダクトとから構成され、該取付部が該第一半径方向を向いて該被取付部に装着された状態で、該第一ダクトは該吸引装置が装着不能に該工具本体で塞がれると共に第二ダクトは該吸引装置が装着可能であり、該取付部が該第一半径方向を向いて該被取付部に装着された状態で、該第一ダクトは該吸引装置が装着可能であると共に該第二ダクトは該吸引装置が装着不能に該工具本体で塞がれることが好ましい。
【００２０】
また上記課題を解決するために本発明は、ハウジングと、該ハウジングから延出され回転刃が装着される回転軸部と、該回転軸部周りに配置される被取付部と、該被取付部に取り付けられて該回転刃を覆う上記の保護カバーと、を、備えた動力工具を提供する。
【００２１】
これらの様な構成によると、切削方向を反転させる場合に、取付部と被取付部との位置関係に基づき保護カバーに対して工具本体の向きを変えることにより、容易に切削方向を反転させることができる。またダクトに吸引装置を接続することにより保護カバー内の粉塵を吸引することができるが、保護カバーに対する工具本体の向きを変えた場合でも、複数あるダクトを切り換えて使用することにより、切削方向に関係なく好適に粉塵を吸引することができる。
【００２２】
上記構成の保護カバー及び動力工具において、該被削材と当接して該被削材上を摺動するガイド面を有するベース部を備え、該カバー部は該ベース部上に担持されていることが好ましい。
【００２３】
この様な構成によると、ベース部のガイド面により被削材と保護カバーとが当接するため、保護カバーが装着された工具が被削材上を好適に摺動することができる。
【００２４】
また該カバー部は、該回転刃の外周及び該反延出方向側側面のみを覆う壁から構成されると共に、該回転軸部が延出される方向における該回転刃の外周を覆う壁の端縁は、該回転刃の該延出方向における端部と略同一位置若しくは該端縁が該端部より突出していることが好ましい。
【００２５】
この様な構成によると、保護カバーの延出方向端部位置と略等しい位置で回転刃により切削を行うことができる。よって、例えば壁際の床面に溝を形成する場合においても、保護カバーの延出方向端部を壁に沿わせて作業を行うことにより、壁際ぎりぎりの位置に溝を形成することができる。また壁際の床面を切削する際には、カバー部と壁とにより保護カバー内の空間を閉塞した状態に保つことができるため、粉塵等が保護カバー外に噴出することが抑制される。
【００２６】
また該複数のダクトは、いずれも開閉可能に構成されていることを特徴とする請求項８乃至請求項１１のいずれか一に記載の保護カバー。
【００２７】
この様な構成によると、使用しないダクトから粉塵が噴出したり、また使用しないダクトから、外気が吸引されることが抑制される。
【００２８】
上記構成の動力工具において、該ハウジングに装着されるサブハンドルを更に備え、該ハウジングは、該回転軸部の半径方向に延び該回転軸部の周方向で互いに離間する一方の側面と他方の側面とを有し、該サブハンドルは、該一方の側面と、該他方の側面とに選択的に装着されることが好ましい。
【００２９】
この様な構成によると、切削方向に関わらず、安定して動力工具を保持することができる。
【発明の効果】
【００３０】
本発明の保護カバー及び保護カバーを備えた動力工具によれば、壁際での切断作業を好適に行うことができる。
【図面の簡単な説明】
【００３１】
【図１】本発明の実施の形態にかかる保護カバー及び保護カバーが装着された動力工具の側面図。
【図２】本発明の実施の形態にかかる保護カバー及び保護カバーが装着された動力工具の分解正面断面図。
【図３】本発明の実施の形態にかかる保護カバーの側面図（工具本体側）。
【図４】本発明の実施の形態にかかる保護カバーのダクトへのキャップの装着状態を示す断面図。
【図５】本発明の実施の形態にかかる保護カバーの側面図（反工具本体側）。
【図６】本発明の実施の形態にかかる保護カバーのブラシ近傍を示す断面図。
【図７】本発明の実施の形態にかかる保護カバーが装着された動力工具で被削材を切削する状態を示す正面断面図。
【図８】本発明の実施の形態にかかる保護カバーが装着された動力工具で回転刃の突出量の変更を示す側面図。
【図９】本発明の実施の形態にかかる保護カバーが装着された動力工具で保護カバーの動力工具に対する位置を変更した状態を示す側面図。
【図１０】本発明の実施の形態にかかる保護カバーが装着された動力工具で側面カバーの装着を示す側面図。
【発明を実施するための形態】
【００３２】
以下、本発明の実施の形態に係る保護カバー及び保護カバーを備えた動力工具について、図１乃至図１０に基づき説明する。図１に示される動力工具である携帯用切断機１は、回転刃９が装着可能に構成されていると共に、回転刃９を覆う保護カバー１０が装着可能に構成されている。
【００３３】
携帯用切断機１は、本体２と、本体２から延出される出力軸部３（図２）とから主に構成されている。本体２は、内部に図示せぬモータ等を内蔵すると共に把持される部分となる第一ハウジング２１と、図示せぬモータの出力を出力軸部３に伝達する図示せぬギヤ機構等を内蔵する第二ハウジング２２とから主に構成されている。図２に示されるように、第二ハウジング２２において、出力軸部３の周囲となる位置に保護カバー１０が取り付けられる被取付部である装着部２３が設けられている。装着部２３は、出力軸部３の軸方向と直交する断面における外周の輪郭が略円形に構成され、この外周部分に保護カバー１０が取り付けられる。また第二ハウジング２２においては、出力軸部３の半径方向に延び出力軸部３の周方向で互いに離間する一方の側面と他方の側面とを有しており、この両側面にそれぞれサブハンドル４が装着される台座２２Ａ、台座２２Ｂが設けられている。
【００３４】
出力軸部３は、第二ハウジング２２に配置され本体２の長手方向（図１において第一ハウジング２１と第二ハウジング２２とが並列する方向）と直交する方向に延出されており、図示せぬモータの出力が伝達されて回転するように構成されている。また出力軸部３には、上述の回転刃９が取付治具であるフランジ５により同軸一体回転するように固定されている。回転刃９は、中央に出力軸部３が貫通する孔９ａが形成されており、孔９ａ近傍位置が本体２側にオフセットするように構成されている。よってフランジ５によって回転刃９が出力軸部３に装着された際に、回転刃９の反本体２側側面からフランジ５が突出することは防がれる。
【００３５】
保護カバー１０は、図１に示されるようにカバー部１２とベース部１１とから主に構成されている。ベース部１１は、アルミ等の金属板が切断・折曲加工されて構成されており、後述の切断深さ調整機構を介してカバー部１２を担持している。ベース部１１において平板状に構成される部分に後述の床と当接するガイド面１１Ａが規定されており、ガイド面１１Ａから回転刃９の周縁の一部が露出している。ガイド面１１Ａで床と当接することにより、携帯用切断機１が床面上を好適に摺動することができる。また図７に示されるように、保護カバー１０においてベース部１１は、回転刃９より本体２側に位置するように配置されている。
【００３６】
カバー部１２は、図２に示されるように、本体２に取り付けられた状態で回転刃９の本体２側側面を覆う側壁部１３と、回転刃９の外周を覆う周壁部１４とから主に構成されており、回転刃９の反本体２側の側面が開放された構成を採っている。
【００３７】
図３に示されるように、側壁部１３には、中央部分に装着部２３に取り付けられる取付部であるアダプタ１５が設けられてアダプタ１５位置に出力軸部３が挿通される挿通孔１３ａが形成されている。このアダプタ１５は、側壁部１３に固定され円弧形状部分を備える第一枠１５Ａに、円弧形状部分を備える第二枠１５Ｂが、ネジ１５Ｃによって螺合されて構成されている。第一枠１５Ａの円弧形状部分と第二枠１５Ｂの円弧形状部分のとの間に装着部２３（図２）を挿入した状態でネジ１５Ｃを螺進させることにより、保護カバー１０を本体２に固定することができる。
【００３８】
装着部２３（図２）は上述のように外周が円形を成しており、アダプタ１５は円弧部分で装着部２３を固定するため、アダプタ１５（保護カバー１０）で装着部２３（本体２）を固定する際の位置関係を、出力軸部３の半径方向において任意の位置とすることができる。よってアダプタ１５（保護カバー１０）と装着部２３（本体２）とを固定する際の位置を保護カバー１０に対して本体２が後述の第一半径方向を向いた状態と第二半径方向を向いた状態とにすることができる。
【００３９】
側壁部１３において、アダプタ１５を挟んだ両隣には、それぞれ同形状の第一孔１３ｂ（図４）、第二孔１３ｃが形成されたそれぞれ同形状の第一ダクト１３Ｂ、第二ダクト１３Ｃが設けられている。図４（ａ）に示されるように、第一ダクト１３Ｂには第一孔１３ｂを閉止するキャップ１６が装着され、第二ダクト１３Ｃには、図示せぬ吸引装置から延出されたノズル１７が装着される。ノズル１７を装着すると共にキャップ１６を装着することにより、ノズル１７でカバー部１２内を吸引した際に、第一孔１３ｂから外気がカバー部１２内に流入することが抑制される。第一ダクト１３Ｂと第二ダクト１３Ｃとは同形状であるため、図４（ｂ）に示されるように、第一ダクト１３Ｂにノズル１７を装着すると共に第二ダクト１３Ｃにキャップ１６を装着してカバー部１２内を吸引することも可能である。
【００４０】
また側壁部１３において挿通孔１３ａから第一孔１３ｂに向かう方向を第一半径方向と定義し、挿通孔１３ａから第二孔１３ｃに向かう方向を第二半径方向と定義する。
【００４１】
周壁部１４は、保護カバー１０が本体２に装着された状態で、図６に示されるように、反本体２側となる端部１４Ａが、回転刃９の反本体２側の側面より僅かに突出する様に構成されている。回転刃９を出力軸部３に固定するフランジ５（図２）は、回転刃９の反本体２側の側面より本体２側に位置しているため、フランジ５（図２）が端部１４Ａから突出することは防がれている。また周壁部１４には、図５に示されるように、カバー部１２内部となる位置に、周壁部１４にそって一連のブラシ１８が装着されている。ブラシ１８は三箇所のフック１８Ａにより周壁部１４に装着されており、図６に示されるように、端部１４Ａ付近に配置されて、その先端が端部１４Ａより僅かに反本体２側に突出するように構成されている。
【００４２】
図８に示されるように、ベース部１１とカバー部１２との間には、切断深さ調整機構である固定ボルト１９Ａと、リンク１９Ｂと、蝶ネジ１９Ｃとが介在している。固定ボルト１９Ａは、ベース部１１及びカバー部１２の、第一ダクト１３Ｂから第二ダクト１３Ｃに向かう方向における端部（以下第二端部）に出力軸部３と平行に配置されており、ベース部１１に形成された図示せぬ孔を貫通してカバー部１２に螺合している。よってカバー部１２はベース部１１に対して固定ボルト１９Ａを中心軸として固定ボルト１９Ａ回りを回動することができる。リンク１９Ｂはベース部１１の第二ダクト１３Ｃから第一ダクト１３Ｂに向かう方向における端部（以下第一端部）から、周壁部１４の内面に沿うようにベース部１１側に向かって延出されている。蝶ネジ１９Ｃは、周壁部１４に形成された図示せぬ孔を貫通してリンク１９Ｂと螺合している。リンク１９Ｂは、蝶ネジ１９Ｃが緩んでいる状態では、蝶ネジ１９Ｃに対して周壁部１４の周方向に沿った方向に移動可能であり、蝶ネジ１９Ｃが締結されている状態では、周壁部１４に対して移動不能に固定される。よって蝶ネジ１９Ｃをゆるめた状態で、ベース部１１に対してカバー部１２を固定ボルト１９Ａ回りに回動させることにより、ベース部１１とカバー部１２との間の距離を変化させることができる。カバー部１２には、回転刃９を支持する本体２が取り付けられるため、カバー部１２とベース部１１との間の距離を変化させることにより、ガイド面１１Ａからの回転刃９の突出量ｔを変化させることができ、所望の切削深さを得ることができる。
【００４３】
上記構成の保護カバー１０を本体２に装着するには、保護カバー１０に対して本体２が第一半径方向を向くように装着部２３にアダプタ１５を固定する。この様な配置を採ることにより第一ダクト１３Ｂのみ本体２で覆われるので、第二ダクト１３Ｃへのノズル１７の装着が本体２等により阻害されることはない。またノズル１７が側壁部１３から延出される構成を採るため、ノズル１７から延出される図示せぬホースが作業の邪魔になることが抑制され好適に切削作業を行うことができる。
【００４４】
図７に示されるように、本体２に保護カバー１０が装着された携帯用切断機１において壁際の床面に溝を切削する際には、端部１４Ａを壁に沿わせるように配置して第一ハウジング２１（図１）及びサブハンドル４を把持した状態で切削作業を行う。回転刃９は、上述のように保護カバー１０の端部１４Ａ位置と略等しい位置に配置されているため、壁際の床面に溝を形成する場合に、端部１４Ａを壁に沿わせて作業を行うことにより、壁際ぎりぎりの位置に溝を形成することができる。また壁際の床面を切削する際には、カバー部１２と壁とにより保護カバー１０内の空間を閉塞した状態に保つことができる。よって回転刃９で床が切削されて生じる粉塵等が保護カバー１０外に噴出することが抑制される。
【００４５】
端部１４Ａからはブラシ１８が突出しているため、ブラシ１８が壁に接触し、端部１４Ａが壁に接触することは抑制される。カバー部１２は剛性の観点から硬質プラスチック等の硬質材料より構成されるため、特に凹凸を有する壁に対する追従性が劣る傾向があるが、ブラシ１８を介在させることにより、壁に対する追従性を高め、保護カバー１０と壁との間に隙間が形成されることが抑制される。また端部１４Ａが直接壁に当接することが抑制されるため、端部１４Ａによる壁への傷を抑制することができる。
【００４６】
また第二ダクト１３Ｃに装着されたノズル１７を介して図示せぬ吸引装置により粉塵を吸引しているので、保護カバー１０外に粉塵が噴出することは抑制される。吸引時に第一ダクト１３Ｂ（図３）はキャップ１６（図３）により閉止されているため、第一ダクト１３Ｂからカバー部１２内に外気が流入することはなく、好適に粉塵をノズル１７から吸引することができる。
【００４７】
上述の携帯用切断機１において、上述の第一端部側へと切り進んで行く場合は、保護カバー１０の第一端部が切り進む方向の先にある壁に当接するまで切削することができる。よって切り進む方向の先にある壁の壁際位置まで切削することができる。これに対して、上述の第二端部側へと切り進んでいく場合には、図９（ａ）に示されるように、本体２が邪魔になり、切り進む方向の先にある壁の壁際位置まで切削することができない。よってこの場合は、保護カバー１０に対して本体２が第二半径方向を向くように装着部２３にアダプタ１５を固定する。この時に、第二ダクト１３Ｃをキャップ１６（図３）で閉止すると共に第一ダクト１３Ｂにノズル１７（図２）を接続する。これにより保護カバー１０の第二端部が切り進む方向の先にある壁に当接するまで切削することができる。また保護カバー１０に対する本体２の向きを変えた場合でも、第一ダクト１３Ｂと第二ダクト１３Ｃとを切り換えて使用することにより、切削方向に関係なく好適に粉塵を吸引することができる。尚、本体２の装着する方向を第二半径方向に変更する際には、サブハンドル４が固定される部分を台座２２Ａから台座２２Ｂに変更することにより、好適にサブハンドル４及び第一ハウジング２１を保持して携帯用切断機１を操作することができる。
【００４８】
上記構成の携帯用切断機１において、壁際以外の箇所で切削作業をする場合、カバー部１２の開口部分から粉塵が保護カバー１０外部に噴出する。これを抑制するために、図１０に示されるように、端部１４Ａと当接してカバー部１２の開口部分を覆う側面カバー部２０を装着する。この様な構成を採ることにより、壁際以外の箇所で切削作業をする場合においても、粉塵が保護カバー１０外に排出されることが抑制される。
【００４９】
本発明の保護カバー及び保護カバーを備えた動力工具は、上述した実施の形態に限定されず、特許請求の範囲に記載された範囲で種々の改良や変形が可能である。例えば、実施の形態においては装着部２３を円形に構成することにより本体２の装着方向の自由度を増したがこれに限らず、上述の第一半径方向及び第二半径方向のみを採れるような凹凸嵌合形状を採ってもよい。また保護カバー１０に対する本体２の方向は第一半径方向と第二半径方向との二方向としたが、これに限らず第一半径方向、第二半径方向とは異なる第三半径方向を備えてもよい。これに応じてダクトも第三ダクトを備えていてもよい。また本実施の形態ではダクトにキャップを装着することによって閉止したがこれに限らず、予めダクトに切り込みが入ったゴム膜等の閉止材を配置し、ノズルを装着した場合のみダクトが貫通し、それ以外ではゴム膜等によりダクトが閉止されるような構成を採ってもよい。
【符号の説明】
【００５０】
１・・携帯用切断機  ２・・本体  ３・・出力軸部  ４・・サブハンドル
５・・フランジ  ９・・回転刃  ９ａ・・孔  １０・・保護カバー  １１・・ベース部
１１Ａ・・ガイド面  １２・・カバー部  １３・・側壁部  １３Ｂ・・第一ダクト
１３Ｃ・・第二ダクト  １３ａ・・挿通孔  １３ｂ・・第一孔  １３ｃ・・第二孔
１４・・周壁部  １４Ａ・・端部  １５・・アダプタ  １５Ａ・・第一枠
１５Ｂ・・第二枠  １５Ｃ・・ネジ  １６・・キャップ  １７・・ノズル
１８・・ブラシ  １８Ａ・・フック  １９Ａ・・固定ボルト  １９Ｂ・・リンク
１９Ｃ・・蝶ネジ  ２０・・側面カバー  ２１・・第一ハウジング
２２・・第二ハウジング  ２２Ａ、２２Ｂ・・台座  ２３・・装着部
【図１】
2010201513.tif 000003
【図２】
2010201513.tif 000004
【図３】
2010201513.tif 000005
【図４】
2010201513.tif 000006
【図５】
2010201513.tif 000007
【図６】
2010201513.tif 000008
【図７】
2010201513.tif 000009
【図８】
2010201513.tif 000010
【図９】
2010201513.tif 000011
【図１０】
2010201513.tif 000012